【手続補正書】
【提出日】平成20年10月17日(2008.10.17)
【手続補正１】
【補正対象書類名】特許請求の範囲
【補正対象項目名】全文
【補正方法】変更
【補正の内容】
【特許請求の範囲】
【請求項１】
基材、
該基材に隣接して配置された転写アシスト層であって、１つまたは複数の水溶性または水分散性放射線吸収化合物を含む水性組成物から導かれた転写アシスト層、および
該基材の反対側に該転写アシスト層に隣接して配置された転写層であって、該転写アシスト層が放射線に選択的に露光されたときに、ドナー要素から隣接する受像要素へ像様転写され得る材料を含む転写層、
を含むことを特徴とする放射線誘発熱転写プロセスに使用するためのドナー要素。
【請求項２】
基材を提供する工程と、
該基材の一面を、１つまたは複数の水溶性または水分散性放射線吸収化合物を含む転写アシスト層で被覆する工程と、
該転写アシスト層を、該転写アシスト層が放射線に選択的に露光されたときに、該基材から隣接受像要素へ像様転写され得る材料を含む転写層で被覆する工程と
を含むことを特徴とする放射線誘発熱転写プロセスに使用するためのドナー要素の製造方法。
【請求項３】
ドナー要素と受像要素との集合体を提供する工程であって、
該ドナー要素が
ａ．基材、
ｂ．該基材に隣接して配置された、１つまたは複数の水溶性または水分散性放射線吸収化合物を含む転写アシスト層、および
ｃ．該基材の反対側に該転写アシスト層に隣接して配置された転写層であって、受像要素に隣接する転写層、
を含むものである工程と、
該集合体を放射線に像様露光させ、それによって像様露光された転写層の少なくとも一部が該受像要素に転写されて画像を形成する工程と、
該ドナー要素を該受像要素から分離し、それによって該受像要素上に画像を現出させる工程と
を含むことを特徴とする画像を形成するための放射線誘発熱転写プロセスにおけるドナー要素の使用方法。
【手続補正２】
【補正対象書類名】明細書
【補正対象項目名】０１３９
【補正方法】変更
【補正の内容】
【０１３９】
【表１】
2008516821.tif 000001
以下、本明細書に記載の発明につき列記する。
１．  基材、
該基材に隣接して配置された転写アシスト層であって、１つまたは複数の水溶性または水分散性放射線吸収化合物を含む水性組成物から導かれた転写アシスト層、および
該基材の反対側に該転写アシスト層に隣接して配置された転写層であって、該転写アシスト層が放射線に選択的に露光されたときに、ドナー要素から隣接する受像要素へ像様転写され得る材料を含む転写層、
を含むことを特徴とする放射線誘発熱転写プロセスに使用するためのドナー要素。
２．  前記転写アシスト層が１つまたは複数の水溶性または水分散性ポリマーバインダーを含むことを特徴とする前記１．に記載のドナー要素。
３．  前記転写アシスト層がイン・ライン式被膜であることを特徴とする前記１．に記載のドナー要素。
４．  前記転写アシスト層が一軸または二軸延伸されることを特徴とする前記１．に記載のドナー要素。
５．  １つまたは複数の保湿剤を含むことを特徴とする前記１．に記載のドナー要素。
６．  前記保湿剤が前記転写アシスト層に配置されることを特徴とする前記５．に記載のドナー要素。
７．  前記水性組成物が０．０５〜７０重量％の固体部分の前記保湿剤を含むことを特徴とする前記６．に記載のドナー要素。
８．  前記水性組成物が５〜８５重量％の固体部分の前記水溶性または水分散性放射線吸収化合物を含むことを特徴とする前記１．に記載のドナー要素。
９．  前記水溶性または水分散性放射線吸収化合物がシアニンであることを特徴とする前記１．に記載のドナー要素。
１０．  前記水溶性または水分散性ポリマーバインダーがポリエステル、アクリル樹脂、およびそれらの組み合わせよりなる群から選択されることを特徴とする前記２．に記載のドナー要素。
１１．  前記水溶性または水分散性ポリマーバインダーがニトロセルロースを含むことを特徴とする前記２．に記載のドナー要素。
１２．  前記水溶性または水分散性ポリマーバインダーがポリメチルメタクリレートを含むことを特徴とする前記２．に記載のドナー要素。
１３．  前記水溶性または水分散性ポリマーバインダーがポリアルキレンカーボネートを含むことを特徴とする前記２．に記載のドナー要素。
１４．  前記水溶性または水分散性ポリマーバインダーがスチレン−無水マレイン酸コポリマーを含むことを特徴とする前記２．に記載のドナー要素。
１５．  前記水溶性または水分散性ポリマーバインダーがポリビニルアルコール、ポリビニルピロリドン、多糖類、ポリ（エチレンオキシド）、ゼラチン、ポリヒドロキシエチルセルロースおよびそれらの組み合わせからなる群から選択されたものを含むことを特徴とする前記２．に記載のドナー要素。
１６．  前記基材がポリエステル基材であることを特徴とする前記１．に記載のドナー要素。
１７．  前記基材が一軸または二軸延伸されることを特徴とする前記１．に記載のドナー要素。
１８．  １つまたは複数の光減衰剤を含むことを特徴とする前記１．に記載のドナー要素。
１９．  前記光減衰剤が前記基材に配置されることを特徴とする前記１８．に記載のドナー要素。
２０．  前記光減衰剤が青色フタロシアニン顔料、緑色アントラキノン顔料、およびそれらの組み合わせよりなる群から選択されることを特徴とする前記１８．に記載のドナー要素。
２１．  前記基材が１２〜３００μｍの厚さを有することを特徴とする前記１．に記載のドナー要素。
２２．  前記転写アシスト層が０．０１〜１μｍの厚さを有することを特徴とする前記１．に記載のドナー要素。
２３．  前記転写アシスト層の反対側の基材に隣接して配置された帯電防止層を含むことを特徴とする前記１．に記載のドナー要素。
２４．  前記転写層が顔料を含むことを特徴とする前記１．に記載のドナー要素。
２５．  基材を提供する工程と、
該基材の一面を、１つまたは複数の水溶性または水分散性放射線吸収化合物を含む転写アシスト層で被覆する工程と、
該転写アシスト層を、該転写アシスト層が放射線に選択的に露光されたときに、該基材から隣接受像要素へ像様転写され得る材料を含む転写層で被覆する工程と
を含むことを特徴とする放射線誘発熱転写プロセスに使用するためのドナー要素の製造方法。
２６．  前記提供工程がポリマー材料の基材層を溶融押出することによって行われることを特徴とする前記２５．に記載の方法。
２７．  前記提供工程が前記基材層を第１方向に延伸することをさらに含むことを特徴とする前記２６．に記載の方法。
２８．  前記提供工程が前記基材層を前記第１方向に直角の第２方向に延伸することをさらに含むことを特徴とする前記２７．に記載の方法。
２９．  前記転写アシスト層で前記基材の一面を被覆する工程が前記水溶性または水分散性放射線吸収化合物を含む水性組成物を該基材の一面への塗布によって行われることを特徴とする前記２７．に記載の方法。
３０．  前記塗布工程が前記延伸の完了前のイン・ライン式被覆によって行われることを特徴とする前記２９．に記載の方法。
３１．  前記水性組成物が１つまたは複数の水溶性または水分散性ポリマーバインダーを含むことを特徴とする前記２９．に記載の方法。
３２．  前記水溶性または水分散性ポリマーバインダーがニトロセルロースを含むことを特徴とする前記３１．に記載の方法。
３３．  前記水溶性または水分散性ポリマーバインダーがポリメチルメタクリレートを含むことを特徴とする前記３１．に記載の方法。
３４．  前記水溶性または水分散性ポリマーバインダーがポリアルキレンカーボネートを含むことを特徴とする前記３１．に記載の方法。
３５．  前記水溶性または水分散性ポリマーバインダーがスチレン−無水マレイン酸コポリマーを含むことを特徴とする前記３１．に記載の方法。
３６．  前記水溶性または水分散性ポリマーバインダーがポリビニルアルコール、ポリビニルピロリドン、多糖類、ポリ（エチレンオキシド）、ゼラチン、ポリヒドロキシエチルセルロースおよびそれらの組み合わせからなる群から選択されたものを含むことを特徴とする前記３１．に記載の方法。
３７．  前記延伸された基材層をヒートセットする工程をさらに含むことを特徴とする前記２４．に記載の方法。
３８．  前記ドナー要素が、任意選択的に転写アシスト層に配置された、１つまたは複数の保湿剤をさらに含むことを特徴とする前記２０．に記載の方法。
３９．  ドナー要素と受像要素との集合体を提供する工程であって、
該ドナー要素が
ａ．基材、
ｂ．該基材に隣接して配置された、１つまたは複数の水溶性または水分散性放射線吸収化合物を含む転写アシスト層、および
ｃ．該基材の反対側に該転写アシスト層に隣接して配置された転写層であって、受像要素に隣接する転写層、
を含むものである工程と、
該集合体を放射線に像様露光させ、それによって像様露光された転写層の少なくとも一部が該受像要素に転写されて画像を形成する工程と、
該ドナー要素を該受像要素から分離し、それによって該受像要素上に画像を現出させる工程と
を含むことを特徴とする画像を形成するための放射線誘発熱転写プロセスにおけるドナー要素の使用方法。
４０．  前記水性組成物が１つまたは複数の水溶性または水分散性ポリマーバインダーを含むことを特徴とする前記３９．に記載の方法。
４１．  前記水溶性または水分散性ポリマーバインダーがニトロセルロースを含むことを特徴とする前記４０．に記載の方法。
４２．  前記水溶性または水分散性ポリマーバインダーがポリメチルメタクリレートを含むことを特徴とする前記４０．に記載の方法。
４３．  前記水溶性または水分散性ポリマーバインダーがポリアルキレンカーボネートを含むことを特徴とする前記４０．に記載の方法。
４４．  前記水溶性または水分散性ポリマーバインダーがスチレン−無水マレイン酸コポリマーを含むことを特徴とする前記４０．に記載の方法。
４５．  前記水溶性または水分散性ポリマーバインダーがポリビニルアルコール、ポリビニルピロリドン、多糖類、ポリ（エチレンオキシド）、ゼラチン、ポリヒドロキシエチルセルロースおよびそれらの組み合わせからなる群から選択されたものを含むことを特徴とする前記４０．に記載の方法。
４６．  前記ドナー要素が１つまたは複数の保湿剤を含むことを特徴とする前記３９．に記載の方法。
４７．  前記保湿剤が転写アシスト層に配置されることを特徴とする前記４６．に記載の方法。